(57)【特許請求の範囲】
【請求項１】
縦方向及び横方向と、身体側面及び着衣側面と、前ウエスト域及び後ウエスト域の一方であって弾性化されたウエスト開口画成縁を有する第１ウエスト域、前記前後ウエスト域の他方であって弾性化されたウエスト開口画成縁を有する第２ウエスト域、及び弾性化されたレッグ開口画成縁を有し前記前後ウエスト域の間における股下域とを有するシャーシと、
前記前後ウエスト域の横方向対向側縁部を互いに離脱可能に連結するファスニング手段とを含み、
前記ファスニング手段が、前記第１ウエスト域の前記横方向対向側縁部に沿って前記縦方向へ延びる第１ファスニング構成要素と、前記第２ウエスト域の前記横方向対向側縁部に沿って前記縦方向へ延び前記第１ファスニング構成要素と離脱可能に係合する第２ファスニング構成要素とから構成される大人用おむつにおいて、
前記縦方向における前記第１及び第２ウエスト域の前記横方向対向側縁部の長さが少なくとも１５０ｍｍであり、
前記第１及び第２ウエスト域の少なくとも前記第１ウエスト域の前記横方向対向側縁部が、前記第１及び第２ウエスト域を連結するときに前記第１及び第２ファスニング構成要素相互の位置を調整するための位置調整手段を備えており、前記位置調整手段は、前記第１ファスニング構成要素が前記縦方向に複数に分割されて前記縦方向に延びる複数のファスニング構成要素の複数の設置域の間に画成される少なくとも一つの離間域と、前記少なくとも一つの離間域の前記縦方向の引張強力が前記複数の設置域それぞれのそれよりも低いことを含み、
前記第１及び第２ウエスト域の前記横方向対向側縁部を連結するときに前記第１及び第２ファスニング構成要素相互の位置調整補助手段が、前記少なくとも一つの離間域に設けられており、
前記位置調整補助手段が、前記少なくとも一つの離間域の前記縦方向へ延びる弾性要素及び前記離間域を横切る少なくとも１本のスリットの、一つである前記大人用おむつ。
【請求項２】
縦方向及び横方向と、身体側面及び着衣側面と、前ウエスト域及び後ウエスト域の一方であって弾性化されたウエスト開口画成縁を有する第１ウエスト域、前記前後ウエスト域の他方であって弾性化されたウエスト開口画成縁を有する第２ウエスト域、及び弾性化されたレッグ開口画成縁を有し前記前後ウエスト域の間における股下域とを有するシャーシと、
前記前後ウエスト域の横方向対向側縁部を互いに離脱可能に連結するファスニング手段とを含み、
前記ファスニング手段が、前記第１ウエスト域の前記横方向対向側縁部に沿って前記縦方向へ延びる第１ファスニング構成要素と、前記第２ウエスト域の前記横方向対向側縁部に沿って前記縦方向へ延び前記第１ファスニング構成要素と離脱可能に係合する第２ファスニング構成要素とから構成される大人用おむつにおいて、
前記縦方向における前記第１及び第２ウエスト域の前記横方向対向側縁部の長さが少なくとも１５０ｍｍであり、
前記第１及び第２ウエスト域の少なくとも前記第１ウエスト域の前記横方向対向側縁部が、前記第１及び第２ウエスト域を連結するときに前記第１及び第２ファスニング構成要素相互の位置を調整するための位置調整手段を備えており、前記位置調整手段は、前記第１ファスニング構成要素が前記縦方向に複数に分割されて前記縦方向に延びる複数のファスニング構成要素の複数の設置域の間に画成される少なくとも一つの離間域と、前記少なくとも一つの離間域の前記縦方向の引張強力が前記複数の設置域それぞれのそれよりも低いことを含み、
前記第１及び第２ウエスト域の前記横方向対向側縁部を連結するときに前記第１及び第２ファスニング構成要素相互の前記位置調整補助手段が、前記第１及び第２ウエスト域の前記横方向対向側縁部が互いに連結された状態において、前記少なくとも一つの離間域に対向する前記第２ウエスト域の前記横方向対向側縁部の領域に設けられている前記大人用おむつ。
【請求項３】
前記位置調整補助手段が、前記少なくとも一つの離間域に対向する前記第２ウエスト域の前記横方向対向側縁部の領域の前記縦方向へ延びる弾性要素である請求項２に記載の大人用おむつ。
【請求項４】
前記離間域の前記縦方向における寸法が、１０〜４０ｍｍである請求項１〜３のいずれかに記載の大人用おむつ。
【請求項５】
前記離間域の５％伸長時の引張強力が、前記ファスニング構成要素が設けられている設置域の５％伸長時の引張強力より２０Ｎ／２５ｍｍ以上低く、前記設置域の５％伸長時の引張強力が２５〜１２０Ｎ／２５ｍｍである請求項１〜４のいずれかに記載の大人用おむつ。
【請求項６】
前記第１及び第２ファスニング構成要素の一方が多数のフックを有するフック要素であり、その他方が多数のループを有し前記フック要素に離脱可能に係合するループ要素である請求項１〜５のいずれかに記載の大人用おむつ。
【発明の詳細な説明】
【技術分野】
【０００１】
この発明は、大人用おむつに関する。
【背景技術】
【０００２】
近年、大人用おむつの需要が増えている。このような大人用おむつ（以下、おむつ）の場合、着用者が横たわった状態で装着させる必要があるときには、例えば特許文献１に開示されているようなパンツ形状で脇を開閉できる吸収性物品（おむつ）が用いられる。【０００３】
特許文献１に開示されたおむつは、一方のウェスト域において吸収体アセンブリから横方向外向きに延びるサイドパネルと、反対側のウェスト域のメカニカルファスニング構成要素とを含む。サイドパネルは、ファスニング構成要素と再固定可能に係合するようになっている内側面を形成する。
【特許文献１】特表２００２−５３２１４７号公報（請求項１、図２）
【発明の開示】
【発明が解決しようとする課題】
【０００４】
特許文献１のおむつは、一方のウェスト領域と反対側のウェスト領域をファスニング構成要素で再固定可能に固定することによりパンツ状の形態となる。しかし、特許文献１のおむつは幼児用のトレーニングパンツであり、大人用よりサイズが小さいため、特許文献１の技術をそのまま大人用のおむつに適用すると種々の問題を生じる。【０００５】
その問題の一つは、一方のウェスト域と反対側のウェスト域の連結操作が難しいことである。特許文献１の図２には、縦長のメカニカルファスニング手段を構成するファスニング構成要素が図示されているが、大人用のおむつにこのような縦長のファスニング構成要素を用いると、長すぎて一度の操作でその全長を係合することはできない。その結果、ファスニング構成要素が完全に重なり合わず、メカニカルファスニング構成要素の場合には、フック要素の多数のフックが露出して、着用者の肌を刺激して違和感を生じたり、衣服に絡み付いてファスニング構成要素が剥がれたりする原因になるという問題を生じる。特に、メカニカルファスニング構成要素を構成するフック要素は剛性が高いため、肌に対する刺激が強く、また、メカニカルファスニング構成要素を構成するループ要素と完全に重なり合わなかったときは、一旦剥がしてから係合しなおす必要がある。【０００６】
このような問題に鑑み、本発明は、前後ウエスト域の側縁部を連結するためファスニング構成要素を係合するときの操作性が改善された大人用おむつを提供することを課題とする。
【課題を解決するための手段】
【０００７】
本発明は、縦方向及び横方向と、身体側面及び着衣側面と、前ウエスト域及び後ウエスト域の一方であって弾性化されたウエスト開口画成縁を有する第１ウエスト域、前記前後ウエスト域の他方であって弾性化されたウエスト開口画成縁を有する第２ウエスト域、及び弾性化されたレッグ開口画成縁を有し前記前後ウエスト域の間における股下域とを有する吸収性シャーシと、前記前後ウエスト域の横方向対向側縁部を互いに離脱可能に連結するファスニング手段とを含む。前記ファスニング手段は、前記第１ウエスト域の前記横方向対向側縁部に沿って前記縦方向へ延びる第１ファスニング構成要素と、前記第２ウエスト域の前記横方向対向側縁部に沿って前記縦方向へ延び前記第１ファスニング構成要素と離脱可能に係合する第２ファスニング構成要素とから構成される大人用おむつの改良に関わる。【０００８】
本発明は、前記大人用おむつの構成において、前記縦方向における前記第１及び第２ウエスト域の前記横方向対向側縁部の長さが少なくとも１５０ｍｍであり、前記第１及び第２ウエスト域の少なくとも前記第１ウエスト域の前記横方向対向側縁部が、前記第１及び第２ウエスト域を連結するときに前記第１及び第２ファスニング構成要素相互の位置を調整するための位置調整手段を備えており、前記位置調整手段は、前記第１ファスニング構成要素が前記縦方向に複数に分割されて前記縦方向に延びる複数のファスニング構成要素の複数の設置域の間に画成される少なくとも一つの離間域と、前記少なくとも一つの離間域の前記縦方向の引張強力が前記複数の設置域それぞれのそれよりも低いことを含み、前記第１及び第２ウエスト域の前記横方向対向側縁部を連結するときに前記第１及び第２ファスニング構成要素相互の位置調整補助手段が、前記少なくとも一つの離間域に設けられており、位置調整補助手段が、前記少なくとも一つの離間域の前記縦方向へ延びる弾性要素及び前記離間域を横切る少なくとも１本のスリットの、一つであることを特徴とする。
【０００９】
本発明は、下記の好ましい実施の形態を含む。【００１０】
前記第１及び第２ウエスト域の前記横方向対向側縁部を連結するときに前記第１及び第２ファスニング構成要素相互の位置調整補助手段が、前記第１及び第２ウエスト域の前記横方向対向側縁部が互いに連結された状態において、前記少なくとも一つの離間域に対向する前記第２ウエスト域の前記横方向対向側縁部の領域に設けられている形態。
【００１３】
前記位置調整補助手段が、前記少なくとも一つの離間域に対向する前記第２ウエスト域の前記横方向対向側縁部の領域の前記縦方向へ延びる弾性要素である形態。【００１４】
前記離間域の前記縦方向における寸法が、１０〜４０ｍｍである形態。【００１５】
前記離間域の５％伸長時の引張強力が、前記ファスニング構成要素が設けられている設置域の５％伸長時の引張強力より２０Ｎ／２５ｍｍ以上低く、前記設置域の５％伸長時の引張強力が２５〜１２０Ｎ／２５ｍｍである形態。【００１６】
前記第１及び第２ファスニング構成要素の一方が多数のフックを有するフック要素であり、その他方が多数のループを有し前記フック要素に離脱可能に係合するループ要素である形態。
【発明の効果】
【００１７】
本発明によれば、前後ウエスト域の少なくとも一つの横方向側縁部に沿って、互いに離脱可能なファスニング構成要素がおむつの縦方向に分割して複数取り付けられているとともに位置調整手段が設けられているので、複数のファスニング構成要素の一つを係合した後、他のファスニング構成要素の位置がずれていた場合でも、離間するファスニング構成要素の間のウエスト域の横方向側縁部の変形によりファスニング構成要素間の位置ずれを容易に調整することが可能となり、前後ウエスト域を連結するときの操作性が改善される。【００１８】
前後ウエスト域を連結するときにファスニング構成要素相互の位置調整を容易にする位置調整補助手段が設けられている態様では、さらに容易にファスニング構成要素間の位置ずれを調整することが可能となる。
【図面の簡単な説明】
【００１９】
【図１】前後ウエスト域の側縁部の一方を開放した状態のおむつの斜視図。
【図２】第１実施形態に係るおむつの前後ウエスト域の側縁部を連結する過程を表わす模式側面図であって、（ａ）は前後ウエスト域の側縁部が連結される前の状態を示す図、（ｂ）は連結係合操作の途中を示す図、（ｃ）は連結が完了した状態を示す図。
【図３】第２実施形態に係るおむつの前後ウエスト域の側縁部を連結する過程を表わす模式側面図であって、図３（ａ）〜（ｃ）は、図２（ａ）〜（ｃ）と同様な図を示す。
【図４】第３実施形態に係るおむつの前後ウエスト域の側縁部を連結する過程を表わす模式側面図であって、図４（ａ）〜（ｃ）は、図２（ａ）〜（ｃ）と同様な図を示す。
【図５】第４実施形態に係るおむつの前後ウエスト域の側縁部を連結する過程を表わす模式側面図であって、図５（ａ）〜（ｃ）は、図２（ａ）〜（ｃ）と同様な図を示す。
【符号の説明】
【００２０】
２      前（第１）ウエスト域
３      後（第２）ウエスト域
４      股下域
５      前（第１）ウエスト域の側縁部
６      後（第２）ウエスト域の側縁部
７      ウエスト開口
８      レッグ開口
９ａ    第１ファスニング構成要素
９ｂ    第１ファスニング構成要素
９ｃ    第２ファスニング構成要素
１１    弾性要素
１２    スリット
１３    設置域
１４    離間域
１７ａ  前（第１）ウエスト開口画成縁
１７ｂ  後（第２）ウエスト開口画成縁
２０    保持シート
【発明を実施するための最良の形態】
【００２１】
添付の図面を参照して、本発明に係る大人用おむつの詳細を説明する。
＜第１実施形態＞
図１に斜視図で示すおむつは、吸収性シャーシ１と、ファスニング手段１０とを含む。吸収性シャーシ１は、縦方向Ｙ、横方向Ｘ及びウエスト回り方向Ｚと、身体側面１ａを画成する透液性の身体側ライナ１Ａ、着衣側面１ｂを画成する外側カバー１Ｂ及びこれらライナ１Ａとカバー１Ｂとの間に介在する吸液性のコア（図示せず）と、前ウエスト域２、後ウエスト域３及び前後ウエスト域２，３の間における股下域４とを含む。【００２２】
前ウエスト域２の横方向対向側縁部５（以下、両側縁部５の一方に言及）においては、縦方向Ｙへ細長く形成されているファスニング構成要素の保持シート２０が、側縁部５に沿う縦方向Ｙのほぼ全長にわたって取り付けられている。この保持シート２０の外面に、二つの第１ファスニング構成要素９ａ，９ｂが縦方向Ｙへ離間して取り付けられている。【００２３】
後ウエスト域３の横方向対向側縁部６（以下、両側縁部６の一方に言及）においては、縦方向Ｙへ細長く形成され、第１ファスニング構成要素９ａ，９ｂと離脱可能に係合する第２ファスニング構成要素９ｃが、側縁部６における身体側面１ａに側縁部６に沿う縦方向Ｙの全長にわたって取り付けられている。【００２４】
おむつが着用されるとき、前ウエスト域２と後ウエスト域３の両側縁部５，６が第１ファスニング構成要素９ａ，９ｂと第２ファスニング構成要素９ｃとにより互いに離脱可能に連結され、これにより、おむつは図１に示すようなパンツ形状となる。【００２５】
パンツ形状のおむつには、前ウエスト域２と後ウエスト３の前後ウエスト開口画成縁１７ａ，１７ｂによってウエスト開口７が画成される。股下域４のレッグ開口画成縁１８ａ，１８ｂによって一対のレッグ開口８が画成される。縦方向Ｙにおける両側縁部５，６の長さは、大人の体格に適合するように、少なくとも１５０ｍｍであることが好ましい。【００２６】
前後ウエスト開口画成縁１７ａ，１７ｂおよび両レッグ開口画成縁１８ａ，１８ｂには、これらを弾性化するため、それら縁に沿って延びる弾性要素２７，２８が伸長下に取り付けられている。前後ウエスト域２，３のほぼ中央域には、着用者に対するおむつのフィット性を向上させるためのウエスト回り方向Ｚへ延びる補助弾性要素３０が伸長下に取り付けられている。弾性要素２７，２８，３０は、複数条のゴム紐からなり、これらのゴム紐の収縮力により、前後ウエスト開口画成縁１７ａ，１７ｂ及び前記中央域が着用者にフィットする。ゴム紐には、天然ゴム又はポリウレタン等の合成ゴムを用いることができ、ゴム紐に代えて、弾性を有する繊維不織布やプラスチックシート等を用いることもできる。【００２７】
第１及び第２ファスニング構成要素９ａ，９ｂ，９ｃと交差する弾性要素２７,２８，３０の部分は、伸縮性が発現しないように加工することが好ましい。この加工は、それら弾性要素の部分を切断、ホットメルト接着剤による被覆又は薬品処理等によりなすことができる。このように加工すれば、両側縁部５，６の上下端部２５，２６，３５，３６近傍がそれぞれ平らになり、前後ウエスト域２，３を連結するとき着用者が手で持ちやすく、操作性が向上する。また、第１及び第２ファスニング構成要素９ａ，９ｂ，９ｃに皺が生じて互いの係合強度が低下することを未然に防止できる。【００２８】
身体側ライナ１Ａは、透液性を有し肌触りのよい材料から形成され、外側カバー１Ｂは、非透液性で通気性を有する材料から形成されている。このような材料には、熱可塑性樹脂からなる繊維不織布や開孔フィルム等の、公知の材料を適宜選択して用いることができる。【００２９】
第１ファスニング構成要素９ａ，９ｂ及び第２ファスニング構成要素９ｃはメカニカルファスナで構成され、すなわち、第１ファスニング構成要素９ａ，９ｂは多数のフックを有するフック要素から構成され、第２ファスニング構成要素９ｃは多数のループを有するループ要素から構成されている。フック要素から構成される第１及び第２ファスニング構成要素９ａ，９ｂは、前述したように着衣側面１ｂに位置することで、おむつの外側に向いている。このように第１ファスニング構成要素９ａ，９ｂが位置することで、フック要素により着用者の肌が刺激され、違和感を生じることを未然に防止できる。【００３０】
第１ファスニング構成要素９ａ，９ｂの縦方向Ｙの離間域１４は、側縁部５に、具体的には、保持シート２０の縦方向Ｙのほぼ中央部に位置している。保持シート２０は、通気性と可撓性を有し、熱可塑性樹脂からなる繊維不織布で形成されている。保持シート２０は、多数の開孔が設けられた樹脂フィルムで形成することもできる。【００３１】
第１ファスニング構成要素９ａ，９ｂの離間距離は、１０〜４０ｍｍであることが好ましい。離間距離が１０ｍｍ未満では、第１ファスニング構成要素９ａ，９ｂを離間させることによりそれらファスニング構成要素の間の位置ずれの調整が容易になる効果が得られず、離間距離が４０ｍｍを超えると、第２ファスニング構成要素９ｃとの係合力が低下して、着用者に対するフィット性が低下する。第１ファスニング構成要素９ａ，９ｂは、保持シート２０の縁から離間して取り付けられており、保持シート２０の縦方向長さは、側縁部５における外側カバー１Ｂの縦方向Ｙの長さとほぼ同じである。第１ファスニング構成要素９ａ，９ｂそれぞれの縦方向Ｙの長さは、２０〜１５０ｍｍの範囲で適宜選択することができる。【００３２】
側縁部５は、前後ウエスト域２，３の横方向対向側縁部５，６が前後ウエスト域２，３を連結するときに第1及び第２ファスニング構成要素９ａ，９ｂ，９ｃ相互の位置を調整するための位置調整手段を備えている。この位置調整手段は、複数の第１ファスニング構成要素９ａ，９ｂが位置する設置域１３の縦方向Ｙの引張強力よりも設置域１３の間に画成される離間域１４のそれが低くされることで構成されている。この位置調整手段は、側縁部５に位置する保持シート２０に第１ファスニング構成要素９ａ，９ｂが設けられている設置域１３と、第１ファスニング構成要素９ａ，９ｂの間に位置する離間域１４について、離間域１４の５％伸長時の引張強力が、設置域１３の５％伸長時の引張強力より２０Ｎ／２５ｍｍ以上低く、設置域１３の５％伸長時の引張強力が２５〜１２０Ｎ／２５ｍｍであることが好ましい。【００３３】
側縁部５は着用者の肌に接触するため、肌を刺激しないよう柔軟性が要求される。しかし、保持シート２０の材料である繊維不織布や樹脂フィルムは、一般に柔軟性が高くなると、着用者が指で摘持して引っ張ったとき変形してうねった状態になりやすい。設置域１３にうねりが生じると、第１ファスニング構成要素９ａ，９ｂが平坦ではなくなるため、第２ファスニング構成要素９ｃに係合する操作を行いにくくなる。【００３４】
設置域１３の５％伸長時の引張強力が２５Ｎ／２５ｍｍ以上であれば、摘持して引っ張った場合でもうねりを生じにくいので、係合操作を容易に行なうことができ、また１２０Ｎ／２５ｍｍ以下であれば、柔軟性が確保され、着用者の肌を刺激することがない。【００３５】
離間域１４の５％伸長時の引張強力を、設置域１３の５％伸長時の引張強力より２０Ｎ／２５ｍｍ以上低くすれば、例えば、第１ファスニング構成要素９ｂの位置ずれを修正するために引っ張ったとき、５％伸長時の引張強力が相対的に低い離間域１４が主に変形し、設置域１３（第１ファスニング構成要素９ｂ）は平坦な状態を維持するので、第１ファスニング構成要素９ｂを第２ファスニング構成要素９ｃに係合する操作を容易に行なえる。【００３６】
設置域１３の５％伸長時の引張強力は、第１ファスニング構成要素９ａ，９ｂや保持シート２０の種類、あるいは第１ファスニング構成要素９ａ，９ｂの保持シート２０への固着方法を適宜選択することで調整できる。固着方法には、ホットメルト接着剤による接着、熱溶着等、この技術分野で公知の方法を用いることができる。【００３７】
５％伸長時の引張強力の測定は、幅２５ｍｍ、長さ１５０ｍｍの試験片を用い、チャック（クランプ）間距離１００ｍｍ、引張速度１００ｍｍ／分、つかみ長さ２５ｍｍで引張試験を行い、５％伸長時の荷重を測定して行なう。離間域１４の試験片は、保持シート２０の材料を前記のサイズに切り取って調製し、設置域１３の試験片は、保持シート２０の材料にファスニング構成要素に用いる材料を固着して前記のサイズに切り取って調製する。いずれの場合も、引っ張り方向は保持シート２０等の横方向Ｘとする。【００３８】
第２ファスニング構成要素９ｃは、後ウエスト域３の側縁部６の身体側ライナ１Ａに、多数のループが身体側面１ａへ向くようにして固着され、第１ファスニング構成要素９ａ，９ｂを完全に覆うことができる大きさである。すなわち、第２ファスニング構成要素９ｃの縦方向Ｙの長さは、第１ファスニング構成要素９ａ，９ｂが延在する縦方向Ｙの長さより長く、また第２ファスニング構成要素９ｃの横方向Ｘの幅は、第１ファスニング構成要素９ａ，９ｂのそれよりも大きい。【００３９】
第２ファスニング構成要素９ｃの外側縁３３と、これと隣接する後ウエスト域３の側縁部６の外側縁とは、同一線上に一致している。この構成によれば、長尺の繊維不織布に第２ファスニング構成要素９ｃを取り付けた後、第２ファスニング構成要素９ｃを半分に切断しながらおむつを連続生産することができるので、第２ファスニング構成要素９ｃを側縁部６の外側縁から離間させて取り付ける場合と比較して工程を簡略化できる。【００４０】
身体側ライナ１Ａと外側カバー１Ｂの接合、弾性要素２７等の取り付けは、ホットメルト接着剤による接着や熱溶着等、公知の手段により行なうことができる。また、吸液性コアには公知のものを用いることができる。【００４１】
次に、おむつの前後ウエスト域２，３を、第１ファスニング構成要素９ａ，９ｂと第２ファスニング構成要素９ｃで連結する過程を、図２（ａ）〜（ｃ）で示す。具体的には、これら図は、着用者の左側の両側縁部５，６をおむつの内側から見た模式図であり、図２（ａ）は前後ウエスト域２，３が連結される前、図２（ｂ）は連結操作の途中、図２（ｃ）は連結が完了した状態を示す。【００４２】
前後ウエスト域２，３が連結される前の図２（ａ）の状態から、前後ウエスト域２，３を連結するとき、まず両手で両側縁部５，６の上端部２５，３５近傍を摘持して前後ウエスト域２，３を重ね合わせ、図２（ｂ）のように上端部２５に近い方の第１ファスニング構成要素９ａを第２ファスニング構成要素９ｃに係合する。【００４３】
このとき、レッグ弾性要素２８の収縮力により、下側の第１ファスニング構成要素９ｂは、矢印Ｄで示した方向に引っ張られて位置がずれ、第２ファスニング構成要素９ｃと重なり合わない部分が生じる。同様にして第２ファスニング構成要素９ｃもレッグ弾性要素２８の収縮力により引っ張られて位置がずれる。しかし、両側縁部５，６の長さは少なくとも１５０ｍｍあるため、第１ファスニング構成要素９ａを第２ファスニング構成要素９ｃに係合する操作中は両側縁部５，６を手で一度に摘持することが困難である。このため、前記の位置ずれを、第１ファスニング構成要素９ａを第２ファスニング構成要素９ｃに係合する操作中に修正することはできない。【００４４】
仮に、図２（ｂ）の状態のままで第１ファスニング構成要素９ｂを第２ファスニング構成要素９ｃに係合したとすると、第１ファスニング構成要素９ｂのフックがおむつの外側（着衣側面１ｂ）に向いて露出し、衣服に絡み付く等の問題を生じる。一般にフックを有するファスニング構成要素は剛性が高いため第１ファスニング構成要素９ａ，９ｂが連続している場合には、第１ファスニング構成要素９ｂ側の位置ずれが生じたときに、第１ファスニング構成要素９ａ側を係合させたままで、第１ファスニング構成要素９ｂの位置を調整することは困難である。しかし、第１ファスニング構成要素９ａ，９ｂは少なくとも１０〜４０ｍｍ離間しているため、第１ファスニング構成要素９ｂのみを一旦剥がしたとしても、第１ファスニング構成要素９ａが剥がれることは無く、第１ファスニング構成要素９ｂを再係合して位置を調節することができる。また、第１ファスニング構成要素９ａ，９ｂは可撓性のある保持シート２０でつながれているので、保持シート２０の下端部２４を持って、第１ファスニング構成要素９ａ，９ｂの間の保持シート２０を変形させることにより、第１ファスニング構成要素９ａ，９ｂ相互の位置調整を容易に行なうことができる。【００４５】
すなわち、本実施形態では、第１ファスニング構成要素９ａ，９ｂ間の保持シート２０を形成する可撓性を有する繊維不織布が、位置調整手段に相当し、図２（ｃ）に示すように、第１ファスニング構成要素９ａを第２ファスニング構成要素９ｃに係合する操作が終わった後、第１ファスニング構成要素９ｂの位置ずれを修正して第２ファスニング構成要素９ｃと重ね合わせることにより、連結操作を容易に行なうことができる。【００４６】
以上説明したように、縦方向Ｙに離間して複数の第１ファスニング構成要素９ａ，９ｂが取り付けられていることにより、前後ウエスト域２，３を連結するときの操作性が改善される。また、第１ファスニング構成要素９ａ，９ｂを離間させる構成にすることにより、ファスニング構成要素の使用量を削減してコストダウンを図ることができる。【００４７】
なお、第１ファスニング構成要素９ａを先に係合する場合について説明したが、第１ファスニング構成要素９ｂを先に係合する場合には、ウエスト弾性要素２７の収縮力により、第１ファスニング構成要素９ａの位置ずれが生じる。この場合でも、前記の説明と同様に、第１ファスニング構成要素９ａの位置ずれを修正して第２ファスニング構成要素９ｃと重ね合わせることができる。【００４８】
＜第２実施形態＞
次に第２実施形態について、第１実施形態と同様の模式図である図３（ａ）〜（ｃ）において、保持シート２０の第１ファスニング構成要素９ａ，９ｂで挟まれる領域に、位置調整補助手段である弾性要素１１として複数条のゴム紐が、縦方向Ｙに伸長下で取り付けられている。この弾性要素１１の収縮により、着用前の第１ファスニング構成要素９ａ，９ｂ間の距離は第１実施形態より小さくなっている。その他の点は、第１実施形態のおむつと同様であるので、詳細な説明は省略する。【００４９】
第１実施形態と同様に、図３（ａ）の係合前の状態から、両手で両側縁部５，６の上端部２５，３５近傍を持ち、図３（ｂ）のように上端部２５に近い方の第１ファスニング構成要素９ａを第２ファスニング構成要素９ｃに係合する。このとき、レッグ弾性要素２８の収縮力により、下側の第１ファスニング構成要素９ｂは、矢印Ｄで示した方向に引っ張られて位置がずれている。【００５０】
第１ファスニング構成要素９ａを第２ファスニング構成要素９ｃに係合する操作が終わった後、第１ファスニング構成要素９ｂの位置ずれを修正して第２ファスニング構成要素９ｃと重ね合わせる操作を行なう。このとき、保持シート２０の下端部分２４を持って、第１ファスニング構成要素９ａ，９ｂ間の弾性要素１１を伸長させておき、第１ファスニング構成要素９ｂを第２ファスニング構成要素９ｃに重ね合わせるとき、弾性要素１１を伸縮させることにより、縦方向Ｙ（図３（ｂ）下方）の位置調整を容易に行なうことができる。【００５１】
すなわち、ファスニング構成要素相互の位置調整が、弾性要素１１の縦方向の弾性伸縮により補助されるので、係合操作を容易に行なうことができる。第１実施形態と同様に、第１ファスニング構成要素９ｂを先に係合した場合でも本発明の作用効果が得られる。【００５２】
＜第３実施形態＞
次に第３実施形態について、第１実施形態と同様の模式図である図４（ａ）〜（ｃ）において、位置調整補助手段である弾性要素１１が、前ウエスト域２の側縁部５ではなく、後ウエスト域３の側縁部６に設けられている点で第２実施形態と異なる。【００５３】
図４（ａ）に示すように、前ウエスト域２の側縁部５（保持シート２０）に、第１ファスニング構成要素９ａ，９ｂが離間して取り付けられている。また、後ウエスト域３の側縁部６に、第２ファスニング構成要素９ｃが取り付けられており、第２ファスニング構成要素９ｃは一つだけである。弾性要素１１である複数条のゴム紐は、第２ファスニング構成要素９ｃの縦方向ほぼ中央部に取り付けられている。その他の点は、第２実施形態のおむつと同様であるので、詳細な説明は省略する。【００５４】
図４（ａ）の係合前の状態から、両手で両側縁部５，６の上端部２５，３５近傍を持ち、図４（ｂ）のように上端部２５に近い方の第１ファスニング構成要素９ａを第２ファスニング構成要素９ｃに係合する。このときレッグ弾性要素２８の収縮力により、第１ファスニング構成要素９ｂは、矢印Ｄで示した方向に引っ張られて位置がずれている。【００５５】
第１ファスニング構成要素９ａを第２ファスニング構成要素９ｃに係合する操作が終わった後、第１ファスニング構成要素９ｂの位置ずれを修正して第２ファスニング構成要素９ｃと重ね合わせる操作を行なう。このとき、縦方向Ｙの位置合わせが弾性要素１１の縦方向の弾性伸縮により補助されるので、係合操作を容易に行なうことができる。【００５６】
＜第４実施形態＞
第４実施形態について、第１実施形態と同様の模式図である図５（ａ）〜（ｃ）を参照する。本実施形態では、第１ファスニング構成要素９ａ，９ｂの間の保持シート２０上に、位置調整補助手段として、前ウエスト域２の側縁部５を斜めに横切る複数のスリット１２が形成されている。その他の点は、第１実施形態のおむつと同様であるので、詳細な説明は省略する。【００５７】
第１実施形態と同様に、図５（ａ）の連結前の状態から、両手で両側縁部５，６の上端部２５，３５近傍を持ち、図５（ｂ）のように上端部２５に近い方の第１ファスニング構成要素９ａを第２ファスニング構成要素９ｃに係合する。このとき、レッグ弾性要素２８の収縮力により、下側の第１ファスニング構成要素９ｂは、矢印Ｄで示した方向に引っ張られて位置がずれている。【００５８】
第１ファスニング構成要素９ａを第２ファスニング構成要素９ｃに係合する操作が終わった後、第１ファスニング構成要素９ｂの位置ずれを修正して第２ファスニング構成要素９ｃと重ね合わせ、係合する操作を行なう。このとき、第１ファスニング構成要素９ａ，９ｂ間の保持シート２０は、スリット１２が形成されている部分で、スリット１２の開口、スリット１２の伸長、あるいは折れ曲がり等により変形しやすくなっているので、第１実施形態よりも可撓性が増しているため、係合操作をさらに容易に行なうことができる。【００５９】
スリット１２の本数、各スリット１２の長さに特に限定は無い。スリット１２の方向は、保持シート２０を製造するときの機械方向を避けることが好ましい。一般に、保持シート２０を形成する繊維不織布またはプラスチックフィルムは機械方向に沿って裂けやすいためである。また、第１実施形態と同様に、第１ファスニング構成要素９ｂを先に係合した場合でも本発明の作用効果が得られる。【００６０】
以上、実施形態に基づき説明したが、本発明はこれらに限定されない。例えば、第１ファスニング構成要素９ａ，９ｂを着衣側面１ｂに対する配置に代えて、身体側面１ａに配置することができる。第１ファスニング構成要素９ａ，９ｂと第２ファスニング構成要素９ｃの両方を分割して離間させる構成としてもよい。【００６１】
前ウエスト域２の側縁部５に保持シート２０を配置するかわりに、後ウエスト域３の側縁部６、または前ウエスト域２と後ウエスト域３の両側縁部５，６に保持シート２０を配置することもできる。保持シート２０を１枚のシート片ではなく、複数に分割されたシート片とすることもできる。この場合、設置域１３と離間域１４とを別体のシートとし、離間域１４の５％伸長時の引張強力を、設置域１３の５％伸長時の引張強力より２０Ｎ／２５ｍｍ以上低くする構成としてもよい。【００６２】
メカニカルファスナである第１及び第２ファスニング構成要素に代えて繰り返し使用可能な感圧性粘着テープと、これが剥離可能に接着するシート片とから構成される粘着ファスニング手段を用いることもできる。メカニカルファスニング手段を構成するループ要素を、フック要素と離脱可能な繊維不織布から構成してもよい。保持シートを用いずに、ファスニング構成要素を外側カバー１Ｂに直接取付けることもできる。
【図１】
0005140589.tif 000002
【図２】
0005140589.tif 000003
【図３】
0005140589.tif 000004
【図４】
0005140589.tif 000005
【図５】
0005140589.tif 000006